(57)【要約】【課題】本発明は加湿装置および加湿機能付空気清浄装置に関するもので、加湿能力を向上させることができるものである。【解決手段】そしてこの目的を達成するために本発明は、吸気口２と排気口３を有する本体ケース４内に加湿手段６を備え、この加湿手段６は、水槽７、加湿フィルター部８、給水部９、フィルター枠部１０、回転手段１２とから形成され、吸気口２から排気口３へ空気を送風する送風手段１３を加湿手段６の風路風下側に設け、給水部９は、フィルター枠部１０の風路風上側の周縁部に位置し、略箱形状で第１の開口部１５と第２の開口部１６を備え、第１の開口部１５は、フィルター枠部１０の回転方向の下流側に開口し、第２の開口部１６は、フィルター枠部１０の中心方向に開口し、第２の開口部１６とフィルター枠部１０とを連通する連通路部２６を備えたものである。【選択図】図２
2011033303.tif 000002
【特許請求の範囲】
【請求項１】
吸気口と排気口を有する本体ケースと、この本体ケース内に設けられた加湿手段を備え、この加湿手段は水を溜める水槽と、この水槽内の水に下端が浸漬される円板状の加湿フィルター部と、この加湿フィルター部に前記水槽の水を汲み上げ、給水する給水部と、前記加湿フィルター部を覆うとともに、その外周部に前記給水部を固定したフィルター枠部と、このフィルター枠部の中央部の軸部を中心に回転させる回転手段とから形成され、前記吸気口から前記排気口へ空気を送風する送風手段を前記加湿手段の風路風下側に設け、前記給水部は、前記フィルター部の風路風上側の周縁部に位置し、略箱形状で第１の開口部と第２の開口部を備え、前記第１の開口部は、前記フィルター枠部の回転方向の下流側に開口し、前記第２の開口部は、前記フィルター枠部の中心方向に開口し、前記第２の開口部と前記フィルター枠部とを連通する連通路部を備え、この連通路部は、前記第２の開口部から前記フィルター枠部の中心部へ延び、前記第２の開口部の前記フィルター枠部の回転方向の上流側に設けた上流側壁部と、前記第２の開口部の前記フィルター枠部の回転方向の下流側に設けた下流側壁部と、上流側壁部と下流側壁部との間の風路風上側を塞ぐ風上側壁部とから形成した加湿装置。
【請求項２】
連通路部の前記上流側壁部は、略縦長平板形状で、前記フィルター枠部の周縁部から前記フィルター枠部の中心部へ徐々に前記フィルター枠部の軸方向の寸法が小さくなり、前記加湿フィルター部との距離が大きくなる構成である請求項１に記載の加湿装置。
【請求項３】
連通路部の前記下流側壁部は、略縦長平板形状で、前記フィルター枠部の周縁部から前記フィルター枠部の中心部へ徐々に前記フィルター枠部の軸方向の寸法が小さくなり、前記加湿フィルター部との距離が大きくなる構成である請求項１または２のいずれかに記載の加湿装置。
【請求項４】
連通路部の前記上流側壁部は、風路風上側から風路風下側にいくにつれ、下流側壁部との距離が広がった請求項１〜３のいずれかに記載の加湿装置。
【請求項５】
連通路部の前記下流側壁部は、風路風上側から風路風下側にいくにつれ、上流側壁部との距離が広がった請求項１〜４のいずれかに記載の加湿装置。
【請求項６】
連通路部内に、水流方向変更手段を設けた請求項１〜５のいずれかに記載の加湿装置。
【請求項７】
連通路部内の水流方向変更手段は、風上側壁部から連通路部内に突出した突起部である請求項１〜６のいずれかに記載の加湿装置。
【請求項８】
給水部の前記第２の開口部の開口面積は、第１の開口部の開口面積より小さい請求項１〜７のいずれかに記載の加湿装置。
【請求項９】
給水部の前記第２の開口部は、前記連通路部の下流側壁部と連通した構成である請求項１〜８のいずれかに記載の加湿装置。
【請求項１０】
給水部は、複数設けられ、前記給水部から延びた各々の前記連通路部は、それら前記連通路部同士が前記フィルター枠部の中央部で連通した構成である請求項１〜９のいずれかに記載の加湿装置。
【請求項１１】
連通路部の前記上流側壁部と前記下流側壁部との間隔は、フィルター枠部の中央部が最も大きい構成である請求項１０に記載の加湿装置。
【請求項１２】
フィルター枠部の中央部で、前記連通路部内に水分散手段を設けた請求項１０または１１のいずれかに記載の加湿装置。
【請求項１３】
フィルター枠部の前記水分散手段は、前記連通路部内に突出した突起部である請求項１２に記載の加湿装置。
【請求項１４】
フィルター枠部は、前記給水部の前記第１の開口部の前記フィルター枠部の回転方向の下流側の外周面に開口した水抜き孔部を設け、この水抜き孔部に、水膜防止手段を備えた請求項１〜１３のいずれかに記載の加湿装置。
【請求項１５】
フィルター枠部の水膜防止手段は、前記水抜き孔部と連通した前記フィルター枠部の風路風上側の面に開口した連通孔部と、この連通孔部内から、前記水抜き孔部に対向するように延びた略平板形状の平板部とで形成し、この平板部の前記フィルター枠部の軸方向の寸法は、前記水抜き孔部の前記フィルター枠部の軸方向の寸法より大きい構成とした請求項１４に記載の加湿装置。
【請求項１６】
加湿手段の上流側に空気清浄手段を設けた請求項１〜１５のいずれかに記載の加湿空気清浄装置。
【発明の詳細な説明】
【技術分野】
【０００１】
本発明は、空気を加湿することのできる加湿装置、および空気を浄化しながら加湿することのできる加湿機能付空気清浄装置に関する。
【背景技術】
【０００２】
従来のこの種の加湿装置の構成は以下のようになっていた。
【０００３】
すなわち、吸気口と排気口を有する本体ケースと、この本体ケース内に設けられた加湿手段を備え、この加湿手段は円板状の加湿フィルターと、この加湿フィルターを固定し回転自在に設けられた加湿フィルター枠と、前記加湿フィルターの下部に設けた略椀状の水槽と、この水槽に一定量の水を供給する水タンクと、前記加湿フィルター枠を回転させる回転手段とから形成され、前記吸気口から前記本体ケース内に吸気した空気を前記加湿フィルターを介して前記排気口へと送風する送風手段を設け、前記加湿フィルター枠は外周部に給水部を備え、この給水部の一部が前記水槽に供給された水に常時浸るように前記加湿フィルター枠を設けると共に、前記回転手段によって前記加湿フィルター枠を回転させることにより前記加湿フィルター枠の前記給水部で前記水槽から水を汲み上げ前記加湿フィルターに給水する構成となっていた。（例えば、これに類似する先行文献は下記特許文献１に記載されている）。
【先行技術文献】
【特許文献】
【０００４】
【特許文献１】特開２００５−２８２９８０号公報
【発明の概要】
【発明が解決しようとする課題】
【０００５】
上記従来例における課題は、加湿能力が低いということであった。
【０００６】
すなわち、従来の物においては、円板状の加湿フィルターの外周部端面より、給水部から水槽の水を汲み上げ給水していた。この加湿フィルターの外周部端面に給水された水は、加湿フィルター内を通りながら加湿フィルターの下部に流れ落ち、加湿フィルター全体に水を含ませ、この水を含んだ加湿フィルターに送風手段によって送風することによって、空気を加湿するものであった。
【０００７】
そこで、加湿能力を向上させる為、送風手段による風量を増加させ、水を含んだ加湿フィルターを通過する風量を多くすると、加湿フィルターの外周部端面に給水された水は、送風手段によって加湿フィルターに送風される空気により、加湿フィルター内を下方に流れ落ちることなく、風下側の加湿フィルター面に流れ込むこととなる。つまり、加湿フィルターの外周部端面より加湿フィルター内を通りながら中央部に流れ落ちさせようとしていた水は、前記送風によって、加湿フィルターの風下側へ水平方向に流れ込み、結果として加湿フィルター内全体に水を含ませることができず、つまり加湿フィルターの狭い面積にしか水を含ませることができず、これにより、風量を上げて加湿能力を向上させることが困難であった。
【０００８】
そこで本発明は、加湿能力の向上を目的とするものである。
【課題を解決するための手段】
【０００９】
そしてこの目的を達成するために本発明は、吸気口と排気口を有する本体ケースと、この本体ケース内に設けられた加湿手段を備え、この加湿手段は水を溜める水槽と、この水槽内の水に下端が浸漬される円板状の加湿フィルター部と、この加湿フィルター部に前記水槽の水を汲み上げ、給水する給水部と、前記加湿フィルター部を覆うとともに、その外周部に前記給水部を固定したフィルター枠部と、このフィルター枠部の中央部の軸部を中心に回転させる回転手段とから形成され、前記吸気口から前記排気口へ空気を送風する送風手段を前記加湿手段の風路風下側に設け、前記給水部は、前記フィルター枠部の風路風上側の周縁部に位置し、略箱形状で第１の開口部と第２の開口部を備え、前記第１の開口部は、前記フィルター枠部の回転方向の下流側に開口し、前記第２の開口部は、前記フィルター枠部の中心方向に開口し、前記第２の開口部と前記フィルター枠部とを連通する連通路部を備え、この連通路部は、前記第２の開口部から前記フィルター枠部の中心部へ延び、前記第２の開口部の前記フィルター枠部の回転方向の上流側に設けた上流側壁部と、前記第２の開口部の前記フィルター枠部の回転方向の下流側に設けた下流側壁部と、上流側壁部と下流側壁部との間の風路風上側を塞ぐ風上側壁部とから形成したものであり、これにより、初期の目的を達成するものである。
【発明の効果】
【００１０】
以上のように本発明は、吸気口と排気口を有する本体ケースと、この本体ケース内に設けられた加湿手段を備え、この加湿手段は水を溜める水槽と、この水槽内の水に下端が浸漬される円板状の加湿フィルター部と、この加湿フィルター部に前記水槽の水を汲み上げ、給水する給水部と、前記加湿フィルター部を覆うとともに、その外周部に前記給水部を固定したフィルター枠部と、このフィルター枠部の中央部の軸部を中心に回転させる回転手段とから形成され、前記吸気口から前記排気口へ空気を送風する送風手段を前記加湿手段の風路風下側に設け、前記給水部は、前記フィルター部の風路風上側の周縁部に位置し、略箱形状で第１の開口部と第２の開口部を備え、前記第１の開口部は、前記フィルター枠部の回転方向の下流側に開口し、前記第２の開口部は、前記フィルター枠部の中心方向に開口し、前記第２の開口部と前記フィルター枠部とを連通する連通路部を備え、この連通路部は、前記第２の開口部から前記フィルター枠部の中心部へ延び、前記第２の開口部の前記フィルター枠部の回転方向の上流側に設けた上流側壁部と、前記第２の開口部の前記フィルター枠部の回転方向の下流側に設けた下流側壁部と、上流側壁部と下流側壁部との間の風路風上側を塞ぐ風上側壁部とから形成したものであり、加湿能力を高めることができるものである。
【００１１】
すなわち、フィルター枠部に固定された給水部は、回転することにより、第１の開口部から水槽の水を汲み上げ、第２の開口部より連通路部を介して、加湿フィルター部に水槽の水を給水するものである。この連通路部は、上流側壁部と、下流側壁部と、風上側壁部とによって囲まれ、第２の開口部とフィルター枠部とを連通するので、給水部が、第１の開口部から水槽の水を汲み上げ、時計の例えば１０時から１２時（最上部）に回転するまでは、主に、上流側壁部を伝いながら加湿フィルター部に水が流れ、時計の１２時（最上部）からほぼ午後２時に回転するまでは、主に、下流側壁部を伝いながら加湿フィルター部に水が流れる。ここで、風上側壁部によって送風手段の送風による影響を抑制できるので、加湿フィルター部の周縁部から中心部まで水が流れ、加湿フィルター部の風路風上側の広い面積に水を含ませることができるものである。
【００１２】
これらの結果により、加湿能力を向上させることができるものである。
【図面の簡単な説明】
【００１３】
【図１】本発明の実施の形態１の加湿機能付空気清浄装置の概略図
【図２】本発明の実施の形態１の加湿機能付空気清浄装置の概略断面を示す図
【図３】本発明の実施の形態１の加湿手段の断面を示す図
【図４】本発明の実施の形態１の加湿手段の概略図
【図５】本発明の実施の形態１の給水部の概略図
【図６】本発明の実施の形態１のフィルター枠部と給水部及び加湿フィルター部の概略図
【図７】本発明の実施の形態１の上流側フィルター枠と給水部の概略図
【図８】本発明の実施の形態１のフィルター枠部の正面拡大図
【発明を実施するための形態】
【００１４】
以下、本実施形態を添付図面を用いて説明する。
【００１５】
（実施の形態１）
図１から図４に示すように、本実施形態の加湿機能付空気清浄装置１は、吸気口２と排気口３を有する本体ケース４と、この本体ケース４内に設けた空気清浄手段５と、この空気清浄手段５の下流側に加湿手段６とを備えている。
【００１６】
吸気口２は、本体ケース４の両側面、および本体ケース４の前面下部とに位置し、排気口３は、本体ケース４の上面に位置している。
【００１７】
空気清浄手段５は、縦長箱形状の空気清浄フィルター５ａで、濾材が蛇腹形状に折られたものであり、吸気口２の風路風下側に設けている。
【００１８】
加湿手段６は、空気清浄手段５である空気清浄フィルター５ａの風路風下側に設けており、一定量の水が溜まった水槽７と、この水槽７の水に下端が常に浸漬した円板状の加湿フィルター部８と、この加湿フィルター部８に水槽７の水を汲み上げ、給水する給水部９と、加湿フィルター部８と給水部９とを固定する円板状のフィルター枠部１０と、このフィルター枠部１０の中央部の軸部１１を中心に回転させる回転手段１２とから形成されている。加湿手段６の風路風下側に、吸気口２から排気口３へ空気を送風する送風手段１３を設けている。
【００１９】
水槽７は、上面が開口した略横長箱形状で、水槽７の端部には水タンク１４が装着され、その水タンク１４から水が供給され、これにより水槽７内の水位は略一定状態が保たれる様になっている。
【００２０】
加湿フィルター部８は、２枚の円板状の第１の層の間に第２の層を挟んだ３層構造であり、第２の層は第１の層に対し垂直方向の複数の糸により形成されている。つまり、第２の層は第１の層を繊維で連結した三次元構造体としたものである。
【００２１】
図５に示すように、給水部９は、略箱形状で第１の開口部１５と第２の開口部１６を備えている。第１の開口部１５は、給水部９のフィルター枠部１０の回転方向の下流側の面で、外周側に位置した略四角形状で、第２の開口部１６は、給水部９のフィルター枠部１０の中心方向、つまり内周面で、フィルター枠部１０の回転方向の下流側に位置した略四角形状である。
【００２２】
図３と図６に示すように、フィルター枠部１０は、円板状の上流側フィルター枠１７と円板状の下流側フィルター枠１８とから形成している。上流側フィルター枠１７は、中央部に回転の中心である外方に延びた円柱形状の上流側軸部１９を設け、周縁部には、給水部９の固定部２０を備えている。下流側フィルター枠１８は、中央部に回転の中心である外方に延びた円柱形状の下流側軸部２１を設け、周縁部には、上流側フィルター枠１７の外周部を覆う円筒形状の円筒部２２を備え、これら下流側軸部２１と円筒部２２との間には、回転手段の回転動力を伝える円筒形状のギア部２３を設けている。下流側軸部２１から半径方向に延びた長方形平板形状の桟部２４と、円形平板形状の桟部２４とによって、下流側軸部２１と円筒部２２とを連結している。
【００２３】
加湿手段６は、上流側フィルター枠１７の外周に設けた固定部２０に給水部９を装着し、この上流側フィルター枠１７と下流側フィルター枠１８との間に加湿フィルター部８を入れ、上流側フィルター枠１７と下流側フィルター枠１８とを嵌め合わせ、水槽７の軸受部２５に上流側フィルター枠１７の上流側軸部１９と、下流側フィルター枠１８の下流側軸部２１とを回動自在に装着し、回転手段１２によって、下流側フィルター枠１８のギア部２３を介してフィルター枠部１０、給水部９、および加湿フィルター部８を回転するものである。
【００２４】
このような構成における空気清浄および、加湿動作について説明する。
【００２５】
水タンク１４より水槽７に常時一定の水位となるように水が供給される。この水に加湿手段６の給水部９と加湿フィルター部８の一部が常時浸かった状態となる。ここで回転手段１２によってフィルター枠部１０を回転させることで、水を汲んだ給水部９と加湿フィルター部８が回転し、給水部９によって汲み上げられた水が頂上付近で、加湿フィルター部８に水を供給する。つまり回転手段１２によりフィルター枠部１０を回転させ続けることで加湿フィルター部８は常時水を保持した状態に保たれる。
【００２６】
ここで、送風手段１３を動かすことにより、吸気口２から本体ケース４内に空気が吸い込まれ、この空気は本体ケース４内に備えられた空気清浄フィルター５ａと水を保持した状態の加湿フィルター部８とを通過し加湿清浄空気となり、排気口３から室内に排出される。
【００２７】
本実施形態における特徴は、図５から図７に示すように、給水部９の第２の開口部１６から加湿フィルター部８へ水を供給する構造にある。上流側フィルター枠１７の固定部２０に装着された給水部９の第２の開口部１６と、フィルター枠部１０とを連通する連通路部２６を備え、この連通路部２６は、上流側壁部２７と下流側壁部２８と風上側壁部２９との３面によって囲まれた断面形状が略コの字形状で、上流側フィルター枠１７の固定部２０に装着された給水部９の第２の開口部１６からフィルター枠部１０の中心部である上流側軸部１９へ延びている。上流側壁部２７は、第２の開口部１６のフィルター枠部１０の回転方向の上流側に位置し、下流側壁部２８は、第２の開口部１６のフィルター枠部１０の回転方向の下流側に位置し、風上側壁部２９は、上流側壁部２７と下流側壁部２８との間の風路風上側に位置し、上流側壁部２７と下流側壁部２８とを繋ぎ、上流側壁部２７と下流側壁部２８との間の風路を塞ぐものである。
【００２８】
すなわち、フィルター枠部１０に固定された給水部９は、回転することにより、第１の開口部１５から水槽７の水を汲み上げ、第２の開口部１６より連通路部２６を介して、加湿フィルター部８に水槽７の水を給水するものである。この連通路部２６は、上流側壁部２７と、下流側壁部２８と、風上側壁部２９とによって囲まれ、第２の開口部１６とフィルター枠部１０とを連通するので、給水部が、第１の開口部から水槽の水を汲み上げ、時計の例えば１０時から１２時（最上部）に回転するまでは、主に、上流側壁部２７を伝いながら加湿フィルター部８に水が流れ、時計の１２時（最上部）からほぼ午後２時に回転するまでは、主に、下流側壁部２８を伝いながら加湿フィルター部８に水が流れる。ここで、風上側壁部２９によって送風手段１３の送風による影響を抑制できるので、加湿フィルター部８の周縁部から中心部まで水が流れ、加湿フィルター部８の風路風上側の広い面積に水を含ませることができるものである。
【００２９】
これらの結果により、加湿能力を向上させることができるものである。
【００３０】
また、連通路部２６の上流側壁部２７は、略縦長平板形状で、フィルター枠部１０の周縁部からフィルター枠部１０の中心部へ徐々にフィルター枠部１０の軸方向の寸法が小さくなり、加湿フィルター部８との距離が大きくなる構成である。具体的には、連通路部２６の上流側壁部２７は、略縦長平板形状で、風路風下側端面、つまり加湿フィルター部８側の端面が、周縁部からフィルター枠部１０の中心部へ向かうにつれ、風路風上側、つまり風上側壁部側に近づくように傾斜するものである。
【００３１】
すなわち、上流側フィルター枠１７の固定部２０に給水部９を装着し、この上流側フィルター枠１７と下流側フィルター枠１８との間に加湿フィルター部８を入れ、上流側フィルター枠１７と下流側フィルター枠１８とを嵌め合わせると、連通路部２６の上流側壁部２７の風路風下側端面が加湿フィルター部８に接触する。ここで、加湿フィルター部８は、２枚の円板状の第１の層の間に第２の層を挟んだ３層構造であり、第２の層は第１の層に対し垂直方向の複数の糸により形成され、弾力性があるので、加湿フィルター部８風上側の面は、連通路部２６の上流側壁部２７の風路風下側端面に沿って傾斜することになる。これにより、給水部９が、第１の開口部１５から水槽７の水を汲み上げ、時計の例えば１０時から１２時（最上部）に回転する間に、連通路部２６の上流側壁部２７を伝って流れるが、上流側壁部２７の風路風下側端面寄りを伝う水は、主に、加湿フィルター部８の周縁部に給水し、上流側壁部２７の風上側壁部２９寄りを伝う水は、主に、加湿フィルター部８の中央部に給水することとなり、結果として、加湿フィルター部８の広い面積にほぼ均等に給水することが出来る。
【００３２】
また、連通路部２６の前記下流側壁部２８は、略縦長平板形状で、フィルター枠部１０の周縁部からフィルター枠部１０の中心部へ徐々にフィルター枠部１０の軸方向の寸法が小さくなり、加湿フィルター部８との距離が大きくなる構成である。具体的には、連通路部２６の下流側壁部２８は、略縦長平板形状で、風路風下側端面、つまり加湿フィルター部８側の端面が、周縁部からフィルター枠部１０の中心部へ向かうにつれ、風路風上側、つまり風上側壁部２９側に近づくように傾斜するものである。
【００３３】
すなわち、上流側フィルター枠１７の固定部２０に給水部９を装着し、この上流側フィルター枠１７と下流側フィルター枠１８との間に加湿フィルター部８を入れ、上流側フィルター枠１７と下流側フィルター枠１８とを嵌め合わせると、連通路部２６の下流側壁部２８の風路風下側端面が加湿フィルター部８に接触する。ここで、加湿フィルター部８は、２枚の円板状の第１の層の間に第２の層を挟んだ３層構造であり、第２の層は第１の層に対し垂直方向の複数の糸により形成され、弾力性があるので、加湿フィルター部８風上側の面は、連通路部２６の下流側壁部２８の風路風下側端面に沿って傾斜することになる。これにより、給水部９が、第１の開口部１５から水槽７の水を汲み上げ、時計の１２時（最上部）からほぼ２時に回転する間に、連通路部２６の下流側壁部２８を伝って流れるが、下流側壁部２８の風路風下側端面寄りを伝う水は、主に、加湿フィルター部８の周縁部に給水し、下流側壁部２８の風上側壁部２９寄りを伝う水は、主に、加湿フィルター部８の中央部に給水することとなり、結果として、加湿フィルター部８の広い面積にほぼ均等に給水することが出来る。
【００３４】
また、連通路部２６の上流側壁部２７は、風路風上側から風路風下側にいくにつれ、下流側壁部２８との距離が広がったものである。具体的には、給水部９が、第１の開口部１５から水槽７の水を汲み上げ、時計の例えば６時から１２時（最上部）に回転する間の、９時の位置で、連通路部２６の上流側壁部２７の風路風下側端面、つまり加湿フィルター部８側の端面が下がり、上流側壁部２７が下方向に傾斜したものである。
【００３５】
すなわち、給水部９が、第１の開口部１５から水槽７の水を汲み上げ、時計のほぼ１０時から１２時（最上部）に回転する間に、連通路部２６の上流側壁部２７を伝って流れる水は、加湿フィルター部８側へ流れ易くなるので、加湿フィルター部８に流れずに水槽７に流れ落ちる水の量を低減することが出来る。
【００３６】
また、連通路部２６の下流側壁部２８は、風路風上側から風路風下側にいくにつれ、上流側壁部２７との距離が広がったものである。具体的には、給水部９が、第１の開口部１５から水槽７水を汲み上げ、時計の例えば１２時（最上部）からほぼ６時に回転する間の、３時の位置で、連通路部２６の下流側壁部２８の風路風下側端面、つまり加湿フィルター部８側の端面が下がり、下流側壁部２８が下方向に傾斜したものである。
【００３７】
すなわち、給水部９が、第１の開口部１５から水槽の水を汲み上げ、時計の例えば１２時（最上部）からほぼ２時に回転する間に、連通路部２６の下流側壁部２８を伝って流れる水は、加湿フィルター部８側へ流れ易くなるので、加湿フィルター部８に流れずに水槽７に流れ落ちる水の量を低減することが出来る。
【００３８】
また、連通路部２６内に、水流方向変更手段を設けたものである。この連通路部２６内の水流方向変更手段は、風上側壁部２９から連通路部２６内に突出した突起部３０である。具体的には、水流方向変更手段は、連通路部２６内で、給水部９の第２の開口部１６と上流側フィルター枠１７の上流側軸部１９との間のほぼ中間部に位置し、風上側壁部２９から連通路部２６内に、上流側壁部２７と下流側壁部２８と繋げるように突出した突起部３０である。
【００３９】
すなわち、上流側壁部２７または下流側壁部２８の風上側壁部２９寄りを伝う水は、給水部９の第２の開口部１６から上流側フィルター枠１７の上流側軸部１９に流れる途中で、水流方向変更手段である突起部３０に当たり、加湿フィルター部８方向へ水の流れの方向が変わるので、加湿フィルター部８に流れずに水槽７に流れ落ちる水の量を低減することが出来る。
【００４０】
また、給水部９の第２の開口部１６の開口面積は、第１の開口部１５の開口面積より小さいものである。
【００４１】
すなわち、給水部９の第２の開口部１６の開口面積は、第１の開口部１５の開口面積より小さいので、給水部９の第２の開口部１６から、給水部９内の水がすべて流れ落ちるまでの時間が長くなるので、給水時間が長くなり、加湿フィルター部８の吸水率を向上することが出来る。
【００４２】
また、給水部９の第２の開口部１６は、連通路部２６の下流側壁部２８と連通した構成である。具体的には、給水部９は、一面が開口した略箱形状で、この給水部９の第１の開口部１５の一辺に略四角形状の第２の開口部１６を備えている。給水部９の第１の開口部１５は、フィルター枠部１０の回転方向の下流側に位置し、給水部９の第２の開口部１６は、フィルター枠部１０の中心方向に位置するように、給水部９は、上流側フィルター枠１７の固定部２０に装着されている。この固定部２０は、給水部９の第１の開口部１５に対向した面を挟むように、上流側フィルター枠１７からフィルター枠部１０の内方に延びた爪部３１と、給水部９の第２の開口部１６を有する面を覆うように、連通路部２６の上流側壁部２７の周端部からフィルター枠部１０の回転方向の上流側に延びた略平板形状の第１の固定壁部３２と、給水部９の第１の開口部１５のほぼ半分の面積を覆うように、連通路部２６の下流側壁部２８の周端部からフィルター枠部１０の半径方向外周側に延びた略平板形状の第２の固定壁部３３とから形成されている。
【００４３】
すなわち、フィルター枠部１０が、時計の例えば５時から７時に回転する間に、水槽７の水を給水部９である第１の開口部１５から汲み上げ、次に、フィルター枠部１０が、時計のほぼ１０時から１２時（最上部）に回転する間に、給水部９の第２の開口部１６から連通路部２６の上流側壁部２７に水を流し、更に、フィルター枠部１０が、時計の１２時（最上部）からほぼ午後２時に回転する間に、給水部９の第２の開口部１６から連通路部２６の下流側壁部２８に水を流すが、ここで、給水部９内の水は、第２の固定壁部３３と給水部９の３面、つまり給水部９の第２の開口部１６を有する面、給水部９の第２の風路風上側の面、および給水部９の風路風下側の面とによって囲まれた空間に水が溜まり、この空間の底部に第２の開口部１６が位置するものである。結果として、給水部９内の水は、給水部９内に残ることなく、第２の開口部１６から連通路部２６の下流側壁部２８に流れ出ることが出来る。
【００４４】
また、給水部９は、複数設けられ、給水部９から延びた各々の連通路部２６は、それら連通路部２６同士がフィルター枠部１０の中央部で連通した構成である。具体的には、隣り合った連通路部２６の上流側壁部２７のフィルター枠部１０の中央部側の端部と、連通路部２６の下流側壁部２８のフィルター枠部１０の中央部側の端部とが連結したものである。
【００４５】
すなわち、給水部９の第２の開口部１６から連通路部２６に流れ、加湿フィルター部８に流れずに、連通路部２６のフィルター枠部１０中央部まで流れた水は、他の連通路部２６に流れ込み、この連通路部２６から加湿フィルター部８に水が流れ込むことができる。結果として、加湿フィルター部８のより広い面積に給水できるので、加湿フィルター部８の広い面積にほぼ均等に給水することが出来る。
【００４６】
また、フィルター枠部１０の中央部で、連通路部２６内に水分散手段を設けたものである。この水分散手段は、連通路部２６内に突出した突起部３４である。具体的には、フィルター枠部１０である上流側フィルター枠１７から、連通路部２６内の上流側フィルター枠１７の中央部、つまり各々の連通路部２６が連通している連通路部２６内に突出した複数の略平板形状の突起部３４である。
【００４７】
すなわち、給水部９の第２の開口部１６から連通路部２６に流れ、加湿フィルター部８に流れずに、連通路部２６のフィルター枠部１０中央部まで流れた水は、水分散手段である複数の略平板形状の突起部３４に当たり、水が分散し、他の複数の連通路部２６、つまり時計の例えば６時の位置にある連通路部２６ばかりでなく、時計のほぼ４時から５時、および時計のほぼ７時から８時の位置にある連通路部２６にも流れ込み易くなる。結果として、複数の連通路部２６から加湿フィルター部８に水が流れ込むので、加湿フィルター部８のより広い面積に給水でき、加湿フィルター部８の広い面積にほぼ均等に給水することが出来る。
【００４８】
また、連通路部２６の上流側壁部２７と下流側壁部２８との間隔は、フィルター枠部１０の中央部が最も大きい構成である。具体的には、連通路部２６の上流側壁部２７と下流側壁部２８との間隔は、フィルター枠部１０の周縁部から中央部近傍までは同じ寸法の間隔であるが、この中央部近傍から隣り合った連通路部２６の上流側壁部２７と下流側壁部２８とが連結する部分までは、徐々に連通路部２６の上流側壁部２７と下流側壁部２８との間隔が広がるものである。
【００４９】
すなわち、給水部９の第２の開口部１６から連通路部２６に流れ、加湿フィルター部８に流れずに、連通路部２６のフィルター枠部１０中央部まで流れた水が、水分散手段である複数の略平板形状の突起部３４に当たり、水が分散し、他の複数の連通路部２６、つまり時計の例えば６時の位置にある連通路部２６ばかりでなく、更に時計のほぼ４時から５時、および時計のほぼ７時から８時の位置にある連通路部２６にも流れ込み易くなる。結果として、複数の連通路部２６から加湿フィルター部８に水が流れ込むので、加湿フィルター部８のより広い面積に給水でき、加湿フィルター部８の広い面積にほぼ均等に給水することが出来る。
【００５０】
また、図６、８に示すように、フィルター枠部１０は、給水部９の第１の開口部１５のフィルター枠部１０の回転方向の下流側の外周面に開口した水抜き孔部３５を設け、この水抜き孔部３５に、水膜防止手段を備えたものである。このフィルター枠部１０の水膜防止手段は、水抜き孔部３５と連通したフィルター枠部１０の風路風上側の面に開口した連通孔部３６と、この連通孔部３６内から、水抜き孔部３５に対向するように延びた略平板形状の平板部３７とで形成し、この平板部３７のフィルター枠部１０の軸方向の寸法は、水抜き孔部３５の水抜き孔部３５の軸方向の寸法より大きい構成としたものである。
【００５１】
具体的には、フィルター枠部１０の下流側フィルター枠１８で、給水部９の第１の開口部１５のフィルター枠部１０の回転方向の下流側の円筒部に略四角形状の開口した水抜き孔部３５を設け、この水抜き孔部３５に、水膜防止手段を備えたものである。この水膜防止手段は、水抜き孔部３５と連通した上流側フィルター枠１７部の風路風上側の面に開口した連通孔部３６と、この連通孔部３６内から、水抜き孔部３５に対向するように上流側フィルター枠１７部から延びた略四角平板形状の平板部３７とで形成し、この平板部３７のフィルター枠部１０の軸方向の寸法は、水抜き孔部３５のフィルター枠部１０の軸方向の寸法より大きい、つまり水抜き孔部３５より風路風下側に飛び出した構成としたものである。
【００５２】
すなわち、加湿フィルター部８のメンテナンスをする場合に、水槽７のからフィルター枠部１０を取り外すが、この時、フィルター枠部１０内の水が早く流れ出す為に、水抜き孔部３５を設けている。例えば、この水抜き孔部３５をフィルター枠部１０の外周面に設け、水膜防止手段を備えていないと、回転手段１２によってフィルター枠部１０を回転させることで、水抜き孔部３５が水槽７の水に浸かり、この水から出ると、水抜き孔部３５に水膜ができ、この水膜が送風により、フィルター枠部１０の外周面の水抜き孔部３５からフィルター枠部１０外側に飛び出すこととなる。そこで、水抜き孔部３５をフィルター枠部１０の外周面に設け、この水抜き孔部３５に水膜防止手段を設けると、水膜は、水抜き孔部３５の風路風下側端部と、水膜防止手段である平板部３７の風路風下側端部とを繋ぐようにできるが、この平板部３７の風路風下側端部は、水抜き孔部３５の風路風下側端部より風路風下側に位置するので、水膜はフィルター枠部１０外側に飛び出すことなく、加湿フィルター部８に飛ぶので、加湿フィルター部８への給水量を増加することができる。
【産業上の利用可能性】
【００５３】
以上のように本発明は、吸気口と排気口を有する本体ケースと、この本体ケース内に設けられた加湿手段を備え、この加湿手段は一定量の水が溜まった水槽と、この水槽の水に下端が常に浸漬した円板状の加湿フィルター部と、この加湿フィルター部に前記水槽の水を汲み上げ、給水する給水部と、前記加湿フィルター部と前記給水部とを固定するフィルター枠部と、このフィルター枠部の中央部の軸部を中心に回転させる回転手段とから形成され、前記吸気口から前記排気口へ空気を送風する送風手段を前記加湿手段の風路風下側に設け、前記給水部は、前記フィルター部の風路風上側の周縁部に位置し、略箱形状で第１の開口部と第２の開口部を備え、前記第１の開口部は、前記フィルター枠部の回転方向の下流側に開口し、前記第２の開口部は、前記フィルター枠部の中心方向に開口し、前記第２の開口部と前記フィルター部とを連通する連通路部を備え、この連通路部は、前記第２の開口部から前記フィルター枠部の中心部へ延び、前記第２の開口部の前記フィルター枠部の回転方向の上流側に設けた上流側壁部と、前記第２の開口部の前記フィルター枠部の回転方向の下流側に設けた下流側壁部と、上流側壁部と下流側壁部との間の風路風上側を塞ぐ風上側壁部とから形成したものであり、加湿能力を高めることができるものである。
【００５４】
すなわち、フィルター枠部に固定された給水部は、回転することにより、第１の開口部から水槽の水を汲み上げ、第２の開口部より連通路部を介して、加湿フィルター部に水槽の水を給水するものである。この連通路部は、上流側壁部と、下流側壁部と、風上側壁部とによって囲まれ、第２の開口部とフィルター枠部とを連通するので、給水部が、第１の開口部から水槽の水を汲み上げ、時計のほぼ１０時から１２時（最上部）に回転するまでは、主に、上流側壁部を伝いながら加湿フィルター部に水が流れ、時計の１２時（最上部）からほぼ２時に回転するまでは、主に、下流側壁部を伝いながら加湿フィルター部に水が流れる。ここで、風上側壁部によって送風手段の送風による影響を抑制できるので、加湿フィルター部の周縁部から中心部まで水が流れ、加湿フィルター部の風路風上側に水を含ませることができるものである。
【００５５】
これらの結果により、加湿能力を向上させることができるものである。
【００５６】
従って、家庭用や事務所用などの、加湿装置および加湿機能付空気清浄装置として活用が期待されるものである。
【符号の説明】
【００５７】
１    加湿機能付空気清浄装置
２    吸気口  
３    排気口
４    本体ケース
５    空気清浄手段
５ａ  空気清浄フィルター
６    加湿手段
７    水槽
８    加湿フィルター部
９    給水部
１０  フィルター枠部
１１  軸部
１２  回転手段
１３  送風手段
１４  水タンク
１５  第１の開口部
１６  第２の開口部
１７  上流側フィルター枠
１８  下流側フィルター枠
１９  上流側軸部
２０  固定部
２１  下流側軸部
２２  円筒部
２３  ギア部
２４  桟部
２５  軸受部
２６  連通路部
２７  上流側壁部
２８  下流側壁部
２９  風上側壁部
３０  突起部
３１  爪部
３２  第１の固定壁部
３３  第２の固定壁部
３４  突起部
３５  水抜き孔部
３６  連通孔部
３７  平板部
【図１】
2011033303.tif 000003
【図２】
2011033303.tif 000004
【図３】
2011033303.tif 000005
【図４】
2011033303.tif 000006
【図５】
2011033303.tif 000007
【図６】
2011033303.tif 000008
【図７】
2011033303.tif 000009
【図８】
2011033303.tif 000010